(57)【要約】  熱溶解積層法によって３Ｄ物品１を製造するための方法であって、３Ｄ印刷可能材料２０１を含む押出物３２１を層ごとに堆積させて、３Ｄ印刷された材料２０２を含む３Ｄ物品１を提供する３Ｄ印刷段階を含み、３Ｄ物品１が、３Ｄ印刷された材料２０２の複数の層３２２を含み、３Ｄ印刷段階が、３Ｄ印刷された材料２０２の第１の層１１００を提供することを含む垂直支持提供段階であって、第１の層１１００が、基材１５５０に対する第１の層上部高さＨ１１を有する第１の層上部１１１０と、基材１５５０に対する第１の層下部高さＨ１２を有する第１の層下部１１２０と、を有し、第１の層１１００が、第１の層上部高さＨ１１と第１の層下部高さＨ１２との間の差によって定義される第１の層高さＨ１を有し、第１の層下部高さＨ１２の値が、第１の層高さＨ１の値と少なくとも等しい、垂直支持提供段階と、３Ｄ印刷された材料２０２の第２の層１２００を、第１の層１１００の隣に第１の層と接触して支持体なしで堆積させることを含む空中印刷段階であって、第２の層１２００が、第２の層上部１２１０を有し、第２の層上部１２１０の少なくとも一部が、第１の層上部１１００の少なくとも一部の上に延び、一部と合致する、空中印刷段階と、を含む方法。
2022502285.tif 000002
【特許請求の範囲】
【請求項１】
熱溶解積層法によって３Ｄ物品を製造するための方法であって、３Ｄ印刷可能材料を含む押出物を層ごとに堆積させて、３Ｄ印刷された材料を含む前記３Ｄ物品を提供する３Ｄ印刷段階を含み、前記３Ｄ物品が、３Ｄ印刷された材料の複数の層を含み、前記３Ｄ印刷段階が、
３Ｄ印刷された材料の第１の層を提供することを含む垂直支持提供段階であって、前記第１の層が、基材に対する第１の層上部高さを有する第１の層上部と、前記基材に対する第１の層下部高さを有する第１の層下部と、を有し、前記第１の層が、前記第１の層上部高さと前記第１の層下部高さとの間の差によって定義される第１の層高さＨ１を有し、前記第１の層下部高さの値が、前記第１の層高さの値と少なくとも等しい、垂直支持提供段階と、
３Ｄ印刷された材料の第２の層を、前記基材と実質的に平行な方向で前記第１の層の隣に前記第１の層と接触して支持なしで堆積させることを含む空中印刷段階であって、前記第２の層が、第２の層上部を有し、前記第２の層上部の少なくとも一部が、前記第１の層上部の少なくとも一部の上に延在し、かつ前記第１の層上部の前記少なくとも一部と共形である、空中印刷段階と、を含む方法。
【請求項２】
プリンタノズルを含むプリンタヘッドを備える熱溶解積層法３Ｄプリンタが使用され、前記プリンタノズルがノズル領域を有し、前記空中印刷段階が、前記ノズル領域の１０〜５０％を前記第１の層の上に最大距離０．５＊Ｈ１で維持しながら、前記第２の層を支持なしで堆積させることを含む、請求項１に記載の方法。
【請求項３】
前記空中印刷段階が、前記ノズル領域の１５〜３５％を前記第１の層の上に最大距離０．５＊Ｈ１で維持しながら、前記第２の層を支持なしで堆積させることを含む、請求項２に記載の方法。
【請求項４】
前記３Ｄ印刷可能材料が、第１のガラス転移温度を有し、前記空中印刷段階が、３Ｄ印刷された材料の前記第２の層を、前記第１の層の隣に前記第１の層と接触して支持なしで堆積させることを含み、前記第１の層が、少なくとも前記第１のガラス転移温度の温度にある、又は前記第２の層の一部と接触される前記第１の層の一部が、少なくとも前記第１のガラス転移温度の温度にされる、請求項１乃至３のいずれか一項に記載の方法。
【請求項５】
前記第１の層が、第１の断面領域を包囲する第１の包囲体として構成されており、前記方法が、３Ｄ印刷された材料の前記第２の層を、前記第１の層の隣に前記第１の層と接触して堆積させて、前記第１の断面領域よりも大きいか又は小さい第２の断面領域を有する第２の包囲体を提供することを含む、請求項１乃至４のいずれか一項に記載の方法。
【請求項６】
前記空中印刷段階を複数回実行することを含み、後に次の空中印刷段階が続く空中印刷段階において得られた前記第２の層が、前記次の空中印刷段階において前記第１の層として使用される、請求項１乃至５のいずれか一項に記載の方法。
【請求項７】
前記層が長手方向軸を有し、複数の前記長手方向軸のうちの２つ以上に対して平行な又は接線方向にある平面が、水平に対して０〜４５°の範囲から選択される最小角度を有する、請求項６に記載の方法。
【請求項８】
前記３Ｄ印刷可能材料が、光透過性材料を含む、請求項１乃至７のいずれか一項に記載の方法。
【請求項９】
３Ｄ印刷された材料を含む３Ｄ物品であって、前記３Ｄ物品が、３Ｄ印刷された材料の複数の層を含み、前記３Ｄ物品が、少なくとも１組の隣り合う層を含み、前記少なくとも１組の隣り合う層が、
３Ｄ印刷された材料の第１の層であって、第１の層上部及び第１の層下部を有し、前記第１の層上部が、第１の方向において前記第１の層下部から第１の層高さだけ隔てられる、第１の層と、
前記第１の層と接触する３Ｄ印刷された材料の第２の層であって、前記第１の方向と実質的に垂直な第２の方向において前記第１の層の隣にあり、前記第２の層が、第２の層上部及び第２の層下部を有し、前記第２の層上部の少なくとも一部が、前記第１の層上部の少なくとも一部の上に延在し、かつ前記第１の層上部の前記少なくとも一部と共形である、第２の層と
を含む３Ｄ物品。
【請求項１０】
前記第２の層上部が第２の層上面を有し、前記第２の層下部が第２の層下面を有し、前記第２の層の長手方向軸と垂直な横断面において、前記第２の層上面が平坦であり、前記第２の層下面が湾曲している、請求項９に記載の３Ｄ物品。
【請求項１１】
前記３Ｄ印刷された材料が、光透過性材料を含む、請求項９又は１０に記載の３Ｄ物品。
【請求項１２】
複数の第２の層を含み、前記第２の層上部が隣の第２の層によって部分的に覆われる各第２の層が、前記隣の第２の層に対する第１の層として構成されている、請求項９乃至１１のいずれか一項に記載の３Ｄ物品。
【請求項１３】
請求項９乃至１２のいずれか一項に記載の３Ｄ物品を備える照明デバイスであって、前記３Ｄ物品が、（ｉ）照明デバイスハウジングの少なくとも一部、（ｉｉ）照明チャンバの壁の少なくとも一部、及び（ｉｉｉ）光学要素のうちの１つ以上として構成されている、照明デバイス。
【請求項１４】
コンピュータ上で実行されるときに、請求項１乃至８のいずれか一項に記載の方法をもたらすことが可能である、ソフトウェア。
【請求項１５】
熱溶解積層法３Ｄプリンタであって、（ａ）プリンタノズルを含むプリンタヘッドと、（ｂ）前記プリンタヘッドに３Ｄ印刷可能材料を供給するように構成される３Ｄ印刷可能材料供給デバイスであって、前記熱溶解積層法３Ｄプリンタが、前記３Ｄ印刷可能材料を基材に供給し、それにより、３Ｄ印刷された材料を含む３Ｄ物品を提供するように構成されている、３Ｄ印刷可能材料供給デバイスと、（ｃ）請求項１乃至８のいずれか一項に記載の方法を制御モードで実行するように構成される制御システムと、を備える熱溶解積層法３Ｄプリンタ。
【発明の詳細な説明】
【技術分野】
【０００１】
本発明は、３Ｄ（印刷された）物品を製造するための方法と、そのような方法を実行するためのソフトウェア製品とに関する。本発明はまた、そのような方法で得ることが可能な、３Ｄ（印刷された）物品にも関する。更に、本発明は、そのような３Ｄ（印刷された）物品を含む照明デバイスに関する。また更には、本発明は、そのような方法において使用するような３Ｄプリンタにも関する。
【背景技術】
【０００２】
張出構造又は下部切取構造を作り出すことが、当該技術分野において知られている。例えば、米国特許出願公開第２０１６／０１４４５７４号は、３Ｄ印刷モデルを適合させるための方法であって、物体の３Ｄ物体モデルに基づいて層表現モデルを計算する工程であって、層表現モデルが、同一平面上にある限られた多数の隣り合う層から構築され、構築方向が、３Ｄ印刷装置の印刷方向に対応する、工程と、第１の層の境界エッジが、第２の層の境界エッジの上に延びる、層表現モデル内の複数の張出領域を決定する工程であって、第１の層が、層表現モデルの構築方向に進むときに、第２の層の直接隣にあり、第２の層に続く、工程と、複数の張出領域それぞれの局所的な張出角度を決定する工程であって、局所的な張出角度が、構築方向における同一平面にある層の垂直軸線と、隣り合う２つの層の境界エッジの間の局所的な接線との間の角度として定義される、工程と、局所的な張出角度が、所定の張出閾値角度未満に留まるように、張出領域の層の境界エッジを再定義することによって層表現モデルを適合させる工程と、適合された層表現モデルを３Ｄ印刷モデルとして３Ｄ印刷装置に出力する工程と、を含む方法を記載している。
【発明の概要】
【発明が解決しようとする課題】
【０００３】
今後１０〜２０年以内に、デジタルファブリケーションは、グローバル製造業の性質を、ますます変貌させていくであろう。デジタルファブリケーションの諸態様のうちの１つは、３Ｄ印刷である。現在、セラミックス、金属、及びポリマーなどの様々な材料を使用して、３Ｄ印刷された様々な物体を製造するために、多種多様な技術が開発されている。３Ｄ印刷はまた、金型を製造する際にも使用されることができ、金型は、その後、物体を複製するために使用されることができる。
【０００４】
金型を作製する目的のために、ポリジェット技術の使用が提案されてきた。この技術は光重合性材料の層ごとの堆積を利用しており、光重合性材料は各堆積の後に硬化されて、固体構造体を形成する。この技術は、平滑な表面を作り出すが、光硬化性材料は、さほど安定したものではなく、それらはまた、射出成形用途に関して有用となる熱伝導率も、比較的低い。
【０００５】
最も広く使用される付加製造技術は、熱溶解積層法（Fused Deposition Modeling；ＦＤＭ）として知られているプロセスである。熱溶解積層法（ＦＤＭ）は、モデリング、プロトタイピング、及び生産の用途で一般に使用される付加製造技術である。ＦＤＭは、材料を層状に配置することによる「付加」原理に基づいて機能するものであり、プラスチックフィラメント又は金属ワイヤが、コイルから巻き出され、部品を製造するための材料を供給する。場合により、（例えば、熱可塑性樹脂に関しては）フィラメントは、配置される前に、融解されて押し出される。ＦＤＭは、高速プロトタイピング技術である。ＦＤＭの他の表現は「融合フィラメント加工」（Fused Filament Fabrication；ＦＦＦ）又は「フィラメント３Ｄ印刷」（Filament 3D Printing；ＦＤＰ）であり、これらはＦＤＭと等しいものと見なされる。一般に、ＦＤＭプリンタは、熱可塑性フィラメントを使用するものであり、熱可塑性フィラメントは、融点まで加熱され、次いで、一層ずつ（又は、実際には、フィラメントが次々に）押し出されて、三次元の物体を作り出す。ＦＤＭプリンタは、比較的高速で、低コストであり、複雑な３Ｄ物体を印刷するために使用されることができる。そのようなプリンタは、様々なポリマーを使用して様々な形状を印刷する際に使用される。当該技術はまた、ＬＥＤ照明器具及び照明ソリューションの製造において、更に開発されつつある。
【０００６】
上述されたように、ＦＤＭは特に、プラスチック材料を層状に配置することによる「付加」原理に基づいて機能する。典型的には、層は、一定の層厚さで上下に重ねて付加される。このようにして、様々な物体が作り出され得る。いくつかの用途では、構築プレートに対して浅い角度で物体の一部を印刷する必要がある物体を印刷することが必要となる。しかし、層を上下に重ねて積み重ねるには、限度がある。例えば、円錐又は角錐などの構造体は、表面に対する角度が４５°未満である場合に印刷することができない。そのような層を印刷するために、いわゆる支持構造体を使用する必要がある。場合によって、印刷後に除去される水溶性ポリマーを使用して、支持構造体が印刷される。しかし、支持構造体の印刷は、印刷に要する時間を増加させ、欠陥箇所をもたらす場合がある。支持構造体の溶解が、余分な工程を伴う場合もある。傾斜層の印刷は、別の技術である。この技術では、全ての層を平行に上下に重ねて配置して構築する代わりに、物体層が、物体の表面のプラットフォーム面に対してある角度で配置される。しかし、この方法は、例えば、照明器具のために有用となり得るような、薄壁の物体を得るために使用されない場合がある。
【０００７】
それゆえ、本発明の一態様は、好ましくは上述の欠点のうちの１つ以上を更に少なくとも部分的に取り除く、代替的な３Ｄ印刷方法及び／又は３Ｄ（印刷された）物品を提供することである。本発明は、従来技術の欠点のうちの少なくとも１つを克服若しくは改善すること、又は有用な代替物を提供することを、目的として有してもよい。
【課題を解決するための手段】
【０００８】
とりわけ本明細書では、（「構築プレート」又は「ビルドプレート」などの）基材に対して４５°未満の角度で物体を印刷するために、水平印刷と垂直印刷とを組み合わせることを含み得る新たな方法が提案される。張出の水平印刷は、例えば、円筒を一定の高さまで印刷するときに、ポリマーの層を垂直方向で上下に重ねて固定することにより実現することができる。続いて、ノズルは、ｘ−ｙ平面内で移動して、既に３Ｄ印刷された層のうちの１つとの、特に最大で５０％の重複領域を有する層を堆積させるように設定される。このことは、ノズルが、前に印刷された層によって部分的に、特に最大で５０％にわたってブロックされ、当該隣の３Ｄ印刷された層として所定量の３Ｄ印刷可能材料を堆積させることを意味する。このことは、前に印刷された層と（基材に対して）本質的に同じ高さで、前に印刷された層への新たな層の良好な取り付けをもたらし得る。
【０００９】
それゆえ、第１の態様では、本発明は、特に熱溶解積層法によって３Ｄ物品を製造するための方法であって、３Ｄ印刷可能材料を含む押出物を層ごとに堆積させて、３Ｄ印刷された材料を含む３Ｄ物品を提供することを含む３Ｄ印刷段階を含み、３Ｄ物品が、３Ｄ印刷された材料の複数の層を含み、３Ｄ印刷段階が特に、垂直支持提供段階及び空中印刷段階を含む、方法を提供する。特定の実施形態において、垂直支持提供段階は、３Ｄ印刷された材料の第１の層を提供することを含み、第１の層は、基材に対する第１の層上部高さ（Ｈ１１）を有する第１の層上部と、基材に対する第１の層下部高さ（Ｈ１２）を有する第１の層下部と、を有し、第１の層は、第１の層上部高さ（Ｈ１１）と第１の層下部高さ（Ｈ１２）との間の差によって定義される第１の層高さ（Ｈ１）を有し、特に、第１の層下部高さ（Ｈ１２）の値が、第１の層高さ（Ｈ１）の値と少なくとも等しい。更に、特定の実施形態において、空中印刷段階は、３Ｄ印刷された材料の第２の層を、基材と実質的に平行な方向で第１の層の隣に第１の層と接触して（支持体なしで）堆積させることを含み、第２の層は、第２の層上部を有し、第２の層上部の少なくとも一部が、第１の層上部の少なくとも一部の上に延在し、特に一部と共形である。そのような方法は特に、プリンタノズルを含むプリンタヘッドを備える熱溶解積層法３Ｄプリンタによって実行され得る。
【００１０】
そのような方法により、支持体を使用することなく、水平層を空中で作り出すことが可能となる。そのような水平層と垂直層との組み合わせにより、基材に対して本質的に任意の（全体）角度を有する構造体を３Ｄ印刷することが可能となる。従来技術の方法とは対照的に、最大で層の半分の代わりに、ほぼ完全な層のオーダーで、比較的大きな張出が作り出され得る。
【００１１】
用語「空中で」は、空気以外の気体中での印刷を除外しないことに留意されたい。この用語は特に、第２の層の下に支持体を有する必要なしに、層がある種の張出層として印刷されることを指す。それゆえ、句「空中で...支持体なしに」及び同様の句は特に、第２の層が、本質的に唯一の支持体としてのほぼ同じ高さにある第１の層によって、ある種の浮層として、すなわち、第２の層の下に支持体を有さない層として、印刷されることを示す。第２の層は、本質的に垂直印刷と同様に第１の層に取り付けられるが、ここでは、本質的に同じ高さで、基材と実質的に平行な方向で第１の層の隣に取り付けられる。このようにして、第１の層と本質的に同じ高さで第２の層が得られ得る。このプロセスは繰り返され得、それによって、物品の３Ｄ印刷された水平部分が作り出され得る。それゆえ、第２の層の下に支持体を必要とせずに、付着により、第２の層が、第１の層に取り付けられる。第１の層は基本的に、第２の層に対する支持体としてのみ使用される。用語「空中印刷段階」の代わりに、用語「水平印刷段階」もあてはまり得る。
【００１２】
上述されたように、本発明は、熱溶解積層法によって３Ｄ物品を製造するための方法であって、３Ｄ印刷可能材料を含む押出物を層ごとに堆積させて、３Ｄ印刷された材料を含む３Ｄ物品を提供することを含む３Ｄ印刷段階を含み、３Ｄ物品が、３Ｄ印刷された材料の複数の層を含む、方法を提供する。一般的に、第１の層が支持体の上の高さで構成されるので、第１の層及び第２の層よりも多くが存在することになる。それゆえ、第１の層は、３Ｄ印刷された１つ以上の他の層上の層であり得る。
【００１３】
上述されたように、方法は、プリンタノズルを含むプリンタヘッドを備える熱溶解積層法３Ｄプリンタによって実行され得る。３ＤＦＤＭ印刷に関連する更なる基本原理についても、以下で説明される。それゆえ、方法は特に、熱溶解積層法（ＦＤＭ）によって３Ｄ物品を製造するために使用される。
【００１４】
３Ｄ印刷段階は、３Ｄ印刷可能材料を含む押出物を層ごとに堆積させることを含む。それゆえ、３Ｄ印刷プロセスは特に、３Ｄ印刷された材料の複数の層を含む３Ｄ物品を提供し、これらは特に、層ごとの堆積によって形成される。３Ｄ印刷可能材料は、プリンタヘッドに導入され、押出物としてノズルから出て、基材上に、又は、例えば、基材上の先に３Ｄ印刷された層上に、３Ｄ印刷された材料の層を形成する。
【００１５】
特に本明細書では、３Ｄ印刷段階は、垂直支持提供段階及び空中印刷段階を含む。方法はまた、（例えば、表面を平滑化するための）加熱段階のような１つ以上の更なる段階を含んでもよい。他の段階も、利用可能であり得る。３Ｄ印刷段階の前、及び／又は垂直支持提供段階と空中印刷階段との間、及び／又は垂直支持提供段階の後に、実施形態において、１つ以上の更なる段階が存在してもよい。
【００１６】
更に、用語「段階」は、一連の段階であって、例えば、それらの間に、１つ以上の機能的構成要素又は他の構成要素が、そのようにして得られた３Ｄ印刷された材料に組み込まれるか又はその上に配置される、一連の印刷段階なども指す場合がある。
【００１７】
垂直支持提供段階は、３Ｄ印刷された材料の第１の層を提供することを含む。一般的に、これは、先に印刷された１つ以上の３Ｄ層上で利用可能な層である（しかし、これは、第２の層が、隣の他の第２の層のための第１の層の機能を有する場合ではない）。それゆえ、この第１の層は、基材の上に非ゼロの高さを有する。第１の層は、層の積み重ね体の上部層であり得る。しかし、第１の層は、層の積み重ね体の必ずしも上部層でなく、３Ｄ印刷された層の積み重ね体の中間層であってもよい。
【００１８】
第１の層は、基材に対する第１の層上部高さ（Ｈ１１）を有する第１の層上部と、基材に対する第１の層下部高さ（Ｈ１２）を有する第１の層下部とを有する。基本的に、層は、上部と下部に区分され得る。実施形態において、それらはそれぞれ、（断面図において）層のうちの５０％に関連し得るが、他の比率も可能であり得る。しかし、一般的に、（断面図において）上部は、層のうちの少なくとも１０％となり、下部も、少なくとも１０％となり、両方の部分は、合計で最大１００％となる。断面図は、層軸線と垂直な図を指し得る。実施形態において、それは、水平区分面を有する２つの半体を指す場合がある。
【００１９】
別の細区分は、第１の側部と第２の側部であり得る。実施形態において、それらはそれぞれ、（断面図において）層のうちの５０％に関連し得るが、他の比率も可能であり得る。しかし、一般的に、（断面図において）第１の側部は、層のうちの少なくとも１０％となり、第２の側部も、少なくとも１０％となり、両方の部分は、合計で最大１００％となる。断面図は、層軸線と垂直な図を指し得る。実施形態において、それは、垂直区分面を有する２つの半体を指し得る。
【００２０】
第１の層は、第１の層上部高さ（Ｈ１１）と第１の層下部高さ（Ｈ１２）との間の差によって定義される第１の層高さ（Ｈ１）を有する。それゆえ、実施形態において、第１の層上部高さ（Ｈ１１）及び第１の高さ（Ｈ１）は、第１の層の層高さ（Ｈ）を定義する。特に、第１の層下部高さ（Ｈ１２）の値は、第１の層高さ（Ｈ１）の少なくとも２倍など、第１の層高さ（Ｈ１）の値と少なくとも等しい。
【００２１】
更に、３Ｄ印刷段階は、１つ以上の水平印刷段階を含み得る。当然ながら、３Ｄ印刷段階は、１つ以上の垂直印刷段階も含み得る。３Ｄ物品の一部が、水平に印刷され得、３Ｄ印刷された物品の一部が、垂直に印刷され得る。このようにして、基材に対して本質的に任意の角度（４５°よりも小さな角度さえ）が作り出され得る。それゆえ、実施形態において、印刷段階は、３Ｄ印刷された材料の第２の層を、基材と実質的に平行な方向で第１の層（１１００）の隣に第１の層と接触して（支持体なしで）堆積させることを含む空中印刷段階であって、第２の層が、第２の層上部を有し、第２の層上部の少なくとも一部が、第１の層上部の少なくとも一部の上に延在し、一部と共形である、空中印刷段階を含む。
【００２２】
第１の層と同様に、第２の層は、異なる部分に概略的に区分され得る。第２の層は、基材に対する第２の層上部高さ（Ｈ２１）を有する第２の層上部と、基材に対する第２の層下部高さ（Ｈ２２）を有する第２の層下部とを有する。基本的に、層は、上部と下部に区分され得る。実施形態において、それらはそれぞれ、（断面図において）層のうちの５０％に関連し得るが、他の比率も可能であり得る。しかし、一般的に、（断面図において）上部は、層のうちの少なくとも１０％となり、下部も、少なくとも１０％となり、両方の部分は、合計で最大１００％となる。断面図は、層軸線と垂直な図を指し得る。実施形態において、それは、水平区分面を有する２つの半体を指す場合がある。
【００２３】
別の細区分は、第２の側部と第２の側部であり得る。実施形態において、それらはそれぞれ、（断面図において）層のうちの５０％に関連し得るが、他の比率も可能であり得る。しかし、一般的に、（断面図において）第２の側部は、層のうちの少なくとも１０％となり、第２の側部も、少なくとも１０％となり、両方の部分は、合計で最大１００％となる。断面図は、層軸線と垂直な図を指し得る。実施形態において、それは、垂直区分面を有する２つの半体を指し得る。
【００２４】
側部の一部（定義のために、第１の側部が使用され得る）は、第１の層、すなわち、第１の層の第２の側部と（物理的に）接触する。第２の層の第１の側部の一部が第１の層上に張出を形成すると言ってもよい。このようにして、第２の層の側面の少なくとも一部が、第１の層の一部と接触し、一部と共形である。しかし、張出は、一般的に、第１の層上部及び第２の層上部に対して定義され、上述されたように、第２の層上部の少なくとも一部が、第１の層上部の少なくとも一部の上に延在し、一部と共形である。それゆえ、この第２の層上部は、第１の層上部と共に、付着、及び／又は共有結合、及び／又は化学結合などによる、第１の層と第２の層との間の接続をもたらす。このようにして、（第２の層のための）支持体を必要とせずに、水平印刷物を３Ｄ印刷することが可能となる。
【００２５】
第２の層は、ある種の金属製ピーホイッスル形状を有し得、（金属製ピーホイッスル内でコルク球を利用し得る）チャンバが、第２の層の（断面）の相当な部分を形成し、口部又は空気流入口部が、第１の層上部の少なくとも一部の上にあり、一部と共形である。以下で示されるように、第２の層の形成は、水平に印刷された３Ｄ部分を得るために繰り返され得る。このことは、金属製ピーホイッスル形状の層のアレイの形成をもたらし、層の各空気流入口部が、隣の他の１つの層の第１の層上部の少なくとも一部の上にあり、一部と共形である。それゆえ、張出が片側のみに向けられるので、第２の層の層軸線と垂直な断面は、対称になり得ない。
【００２６】
良好な水平層構造を得るために、それは、３Ｄプリンタのノズルが支持層又は第１の層の上に部分的にのみ存在するときに有用と思われる。このようにして、ノズルは、部分的にブロックされ得、このことは、ある種の金属製ピーホイッスル形状の形態をもたらし得る。それゆえ、実施形態において、プリンタノズルは、ノズル領域（Ａｎ）を有し、空中印刷段階は、ノズル領域（Ａｎ）の１０〜５０％を第１の層の上に最大で０．２５＊Ｈ１などの最大距離０．５＊Ｈ１で維持しながら、特に、ノズル領域（Ａｎ）の１５〜３５％を第１の層の上に最大で０．２５＊Ｈ１などの最大距離０．５＊Ｈ１で維持しながら、第２の層を支持体なしで堆積させることを含む。１つ以上の位置における（ノズル領域の１０〜５０％又は１５〜３５％の場合の）最小距離は、ノズルが、第１の層と（ほぼ）接触し得るか、又は第１の層の上方１０〜５０μｍなどの数μｍの距離にあり得るようなものとなり得る。
【００２７】
実施形態において、第１の層は第１の層幅（Ｗ１）を有し、プリンタノズルはノズル幅（Ｄ）を有し、方法は、水平面における第１の層幅（Ｗ１）及びノズル幅（Ｄ）の投影が、第１の層幅（Ｗ１）の１０〜５０％、特に１５〜３５％の範囲から選択される重複（Ｏ１）を有するように、プリンタノズルを第１の層の上に部分的に維持することを含む。
【００２８】
３Ｄ印刷された層は、第２の層による張出の形成を可能にする湾曲したエッジを有し得る。幅は特に、（層軸線と垂直な）最大幅を指す。したがって、幅は、層の高さにわたって変化し得る。
【００２９】
層間の良好な接続のために、それは、第１の層が完全に冷却されていないときに有用であり得る。特に、第１の層が、３Ｄ印刷可能材料（又はその中のポリマー材料）のガラス転移温度と少なくとも等しいか又はそれよりも高い温度を有することが望ましい場合がある。それゆえ、実施形態において、３Ｄ印刷可能材料は、第１のガラス転移温度Ｔｇ１を有し、空中印刷段階は、３Ｄ印刷された材料の第２の層を、基材と実質的に平行な方向で第１の層の隣に第１の層と接触して堆積させることを含み、第１の層は、少なくとも第１のガラス転移温度Ｔｇ１の温度にある。例えば、実施形態において、空中印刷段階の段階における第１の層の温度は、第１のガラス転移温度Ｔｇ１と第１の融解温度Ｔｍ１との間、特に、約Ｔｇ１とＴｇ１＋（０．７５＊（Ｔｍ１−Ｔｇ１））との間、例えば１．１＊Ｔｇ１と（０．５＊（Ｔｍ１−Ｔｇ１））との間にあってもよい。
【００３０】
あるいは、第２の層の一部と接触する第１の層の一部が、少なくとも第１のガラス転移温度Ｔｇ１の温度にされる。それゆえ、張出が作り出される部分は、少なくとも第１のガラス転移温度Ｔｇ１の温度にあってもよく、又は、例えば、相対的に高温の押出物が第１の層に接触することにより、そのような温度にされてもよい。このようにして、第１の層は、少なくとも第１のガラス温度の温度まで局所的に加熱されてもよい。空中印刷段階中に第１の層及び第２の層が両方とも（第１の）ガラス温度以上にあるときに、付着性が向上され得る。例えば、一方の層のポリマーが、他方の層に進入してもよく、逆もまた同様である。このことは、第１の層と第２の層との間の付着を実現及び／又は促進し得る。第１の層の温度に関して上記で示された値は、少なくとも第１のガラス転移温度にあるか又は第１のガラス転移温度にされる、第１の層の部分の温度にも使用され得る。
【００３１】
一般的に、第１の層の材料は、第２の層と本質的に同じであるが、必ずしもそうではない。
【００３２】
水平層の生成は特に、３Ｄ印刷された物品の第１の層を含む部分が安定した３Ｄ物品である場合、構築中の３Ｄ印刷された物品の安定性に本質的な影響を与えることなく行われ得る。例えば、これは、水平に印刷された層の重量よりも相当に大きな重量を有する相対的に大きな本体であってもよい。例えば、実施形態において、水平に印刷された層の重量は、構築中の３Ｄ印刷された物品の既に利用可能な材料の２０％未満、１０％未満など、それよりも小さくてもよい。
【００３３】
代替的に又は追加的に、３Ｄ印刷された物品は、水平層についていくらかの固有安定性を有してもよい。例えば、これは、３Ｄ印刷された物品の材料が第２の層よりも大きなトルクを有し得る場合であり得る。既に利用可能な材料のより大きなトルクは、第２の層のトルクを補償する。更に、３Ｄ印刷された物品は、基材に固着されてもよい。
【００３４】
また更なる実施形態において、第２の層によって生成され得るトルクを補償するために、構築中の３Ｄ印刷された物品の既に利用可能な材料に力が加えられてもよい。
【００３５】
しかし、実施形態において、構築中の３Ｄ印刷された物品は、それ自体が第２の層の安定性をもたらす形状を有してもよい。これは、例えば、構築中の３Ｄ印刷された物品が、水平層のための支承（機能）をもたらす場合であってもよい。それゆえ、基本的に、家を構築し、バルコニー又は傾斜屋根を構築するときと同じ規則が使用され得る。
【００３６】
例えば、実施形態において、構築中の３Ｄ印刷された物品の既に利用可能な材料は、（円形若しくは矩形であってもよく、又は別の形状を有してもよい）リングのような実質的に包囲形状、又は（円形若しくは矩形であってもよく、又は別の形状を有してもよい）プレートのような閉鎖形状を形成する。したがって、特定の実施形態において、第１の層は、第１の断面領域（Ａ１）を包囲する第１の包囲体として構成され、方法は、３Ｄ印刷された材料の第２の層を、第１の層の隣に第１の層と接触して堆積させて、第１の断面領域（Ａ１）よりも大きいか又は小さい第２の断面領域（Ａ２）を有する第２の包囲体を提供することを含み得る。このことは、例えば、円錐形状又は角錐形状などの印刷を可能にし得る。
【００３７】
上述されたように、空中印刷段階は、複数回繰り返され得る。このようにして、（第２の）層の水平アレイが３Ｄ印刷され得る。空中印刷段階中に印刷された印刷層が、次の第２の層などのための支持層、すなわち、第１の層として使用され得る。したがって、実施形態において、方法は、空中印刷段階を複数回実行することを含み得る。それゆえ、そのような実施形態において、（次の隣の第２の層の）次の空中印刷段階の前の空中印刷段階において得られた第２の層は、その次の空中印刷段階において第１の層として使用され得る。
【００３８】
これにより、上述されたように、垂直印刷と水平印刷とが組み合わされ得るので、本質的に任意の角度の生成が可能となる。それゆえ、特定の実施形態において、層は長手方向軸線（Ａ）を有し、複数の長手方向軸線（Ａ）のうちの２つ以上と平行な平面又は接する平面が、水平に対して０〜４５°の範囲から選択される最小角度θを有する。しかし、他の角度も、当然ながら可能であり得る。特に、実施形態において、層は、長手方向軸線Ａと、複数の長手方向軸線Ａのうちの２つ以上と平行な平面とを有し、長手方向軸線Ａのうちの平面と一致する２つ以上が、水平に対して０〜４５°の範囲から選択される最小角度θを有する。特に、他の実施形態において、複数の長手方向軸線Ａのうちの２つ以上と接するとともに平行する平面が、水平に対して０〜４５°の範囲から選択される最小角度θを有する。水平に対する（最小）角度は、「傾斜角度」としても示される。本発明によれば、傾斜角度は、水平に対して、例えば、実施形態においては基材に対して、０〜９０°の本質的に任意の角度となり得る。
【００３９】
いくつかの照明用途などの特定の用途では、それは、３Ｄ印刷可能材料が光透過性材料であるときに有用であり得る。したがって、実施形態において、３Ｄ印刷可能材料は、光透過性材料を含む。
【００４０】
以下では、３Ｄ（ＦＤＭ）印刷及び有用な３Ｄ印刷可能材料（したがって、３Ｄ印刷された材料）のいくつかの更なる態様が説明される。
【００４１】
上述のように、本方法は、印刷段階の間に、３Ｄ印刷可能材料を堆積させるステップを含む。本明細書では、用語「３Ｄ印刷可能材料」とは、堆積又は印刷されることになる材料を指し、用語「３Ｄ印刷された材料」は、堆積後に得られる材料を指す。これらの材料は、本質的に同じであってもよいが、３Ｄ印刷可能材料が、高温のプリンタヘッド又は押出機内の材料を特に指す場合があり、３Ｄ印刷された材料が、同じ材料ではあるが、後の堆積された段階の材料を指すためである。３Ｄ印刷可能材料は、フィラメントとして印刷され、フィラメントとして堆積される。３Ｄ印刷可能材料は、フィラメントとして供給されてもよく、又はフィラメントに形成されてもよい。それゆえ、いかなる出発材料が適用されるとしても、３Ｄ印刷可能材料を含むフィラメントが、プリンタヘッドによって供給されて、３Ｄ印刷される。用語「押出物」は、プリンタヘッドの下流にあるが未だ堆積されていない、３Ｄ印刷可能材料を定義するために使用される場合がある。後者は「３Ｄ印刷された材料」として示される。実際に、押出物は、材料が未だ堆積されていないので、３Ｄ印刷可能材料を含む。３Ｄ印刷可能材料又は押出物の堆積時に、材料は、それゆえ３Ｄ印刷された材料として示される。本質的に、材料はプリンタヘッドの上流の熱可塑性材料、プリンタヘッドの下流の熱可塑性材料と同じ材料であり、堆積されたとき、本質的に同じ材料である。
【００４２】
本明細書では、用語「３Ｄ印刷可能材料」はまた、「印刷可能材料」として示されてもよい。用語「ポリマー材料」とは、実施形態では、異なるポリマーのブレンドを指す場合もあるが、実施形態ではまた、本質的に、異なるポリマー鎖長を有する単一のポリマーのタイプを指す場合もある。それゆえ、用語「ポリマー材料」又は「ポリマー」は、単一のタイプのポリマーを指す場合もあるが、また、複数の異なるポリマーを指す場合もある。用語「印刷可能材料」は、単一のタイプの印刷可能材料を指す場合もあるが、また、複数の異なる印刷可能材料を指す場合もある。用語「印刷された材料」は、単一のタイプの印刷された材料を指す場合もあるが、また、複数の異なる印刷された材料を指す場合もある。
【００４３】
それゆえ、用語「３Ｄ印刷可能材料」はまた、２種以上の材料の組み合わせを指す場合もある。一般に、これらの（ポリマー）材料は、ガラス転移温度Ｔｇ及び／又は融解温度Ｔｍを有する。３Ｄ印刷可能材料は、ノズルから出る前に、３Ｄプリンタによって、少なくともガラス転移温度、及び一般には、少なくとも融解温度の温度まで加熱されることになる。それゆえ、特定の実施形態では、３Ｄ印刷可能材料は、ガラス転移温度（Ｔｇ）及び／又は融点（Ｔｍ）を有する熱可塑性ポリマーを含み、プリンタヘッドの動作は、３Ｄ印刷可能材料を、ガラス転移を超えて加熱し、材料が半結晶性ポリマーである場合には、融解温度を超えて加熱することを含む。更に別の実施形態では、３Ｄ印刷可能材料は、融点（Ｔｍ）を有する（熱可塑性）ポリマーを含み、プリンタヘッドの動作は、受け物品上に堆積されることになる３Ｄ印刷可能材料を、少なくとも融点の温度まで加熱することを含む。ガラス転移温度は、一般に融解温度と同じではない。融解は、結晶性ポリマーにおいて生じる転移である。融解は、ポリマー鎖が、当該ポリマー鎖の結晶構造から脱落して、無秩序な液体となる際に発生する。ガラス転移は、非晶質ポリマーに発生する転移であり、すなわち、固体状態である場合であっても、鎖が規則的な結晶として配列されておらず、いずれかの方式で単に分散されているポリマーである。ポリマーは、本質的にガラス転移温度を有するが融解温度を有さない、非晶質とすることができ、又は、一般にガラス転移温度及び融解温度の双方を有し、一般に後者が前者よりも高い、（半）結晶質とすることもできる。ガラス温度は、例えば、示差走査熱量測定によって決定され得る。融点又は融解温度も、示差走査熱量測定によって決定することができる。
【００４４】
上述のように、本発明は、それゆえ、３Ｄ印刷可能材料のフィラメントを供給するステップと、３Ｄ物品を提供するために、印刷段階の間に、３Ｄ印刷可能材料を基材上に印刷するステップとを含む、方法を提供する。
【００４５】
３Ｄ印刷可能材料として特に適格であり得る材料は、金属、ガラス、熱可塑性ポリマー、シリコーンなどから成る群から選択されてもよい。特に、３Ｄ印刷可能材料は、ＡＢＳ（ａｃｒｙｌｏｎｉｔｒｉｌｅ  ｂｕｔａｄｉｅｎｅ  ｓｔｙｒｅｎｅ；アクリロニトリルブタジエンスチレン）、ナイロン（又はポリアミド）、アセテート（又はセルロース）、ＰＬＡ（ｐｏｌｙ  ｌａｃｔｉｃ  ａｃｉｄ；ポリ乳酸）、テレフタレート（ＰＥＴ；ポリエチレンテレフタレートなど）、アクリル（ポリメチルアクリレート、Ｐｅｒｓｐｅｘ（登録商標）、ポリメチルメタクリレート、ＰＭＭＡ）、ポリプロピレン（又はポリプロペン）、ポリカーボネート（Polycarbonate；ＰＣ）、ポリスチレン（Polystyrene；ＰＳ）、ＰＥ（膨張性高衝撃ポリテン（又はポリエテン）、低密度（ＬＤＰＥ）高密度（ＨＤＰＥ）など）、ＰＶＣ（ｐｏｌｙｖｉｎｙｌ  ｃｈｌｏｒｉｄｅ；ポリ塩化ビニル）、ポリクロロエテン、コポリエステル系エラストマー、ポリウレタン系エラストマー、ポリアミド系エラストマー、ポリオレフィン系エラストマー、スチレン系エラストマーなどの熱可塑性エラストマーなどから成る群から選択される、（熱可塑性）ポリマーを含む。オプションとして、３Ｄ印刷可能材料は、尿素ホルムアルデヒド、ポリエステル樹脂、エポキシ樹脂、メラミンホルムアルデヒド、熱可塑性エラストマーなどから成る群から選択される、３Ｄ印刷可能材料を含む。オプションとして、３Ｄ印刷可能材料は、ポリスルホンから成る群から選択される３Ｄ印刷可能材料を含む。エラストマー、特に熱可塑性エラストマーは、それらが可撓性であり、熱伝導材料を含む相対的により可撓性のフィラメントを得るために役立ち得るため、特に興味深い。熱可塑性エラストマーは、スチレンブロックコポリマー（ＴＰＳ（ＴＰＥ−ｓ））、熱可塑性ポリオレフィンエラストマー（ＴＰＯ（ＴＰＥ−ｏ））、熱可塑性加硫物（ＴＰＶ（ＴＰＥ−ｖ又はＴＰＶ））、熱可塑性ポリウレタン（ＴＰＵ（ＴＰＵ））、熱可塑性コポリエステル（ＴＰＣ（ＴＰＥ−Ｅ））、及び熱可塑性ポリアミド（ＴＰＡ（ＴＰＥ−Ａ））のうちの１種以上を含んでもよい。
【００４６】
国際公開第２０１７／０４０８９３号にも言及されているような好適な熱可塑性材料としては、ポリアセタール（例えば、ポリオキシエチレン及びポリオキシメチレン）、ポリ（Ｃ１−６アルキル）アクリレート、ポリアクリルアミド、ポリアミド（例えば、脂肪族ポリアミド、ポリフタルアミド、及びポリアラミド）、ポリアミドイミド、ポリ無水物、ポリアリレート、ポリアリレンエーテル（例えば、ポリフェニレンエーテル）、ポリアリレンスルフィド（例えば、ポリフェニレンスルフィド）、ポリアリルスルホン（例えば、ポリフェニレンスルホン）、ポリベンゾチアゾール、ポリベンゾオキサゾール、ポリカーボネート（ポリカーボネート−シロキサン、ポリカーボネート−エステル、及びポリカーボネート−エステル−シロキサンなどのポリカーボネートコポリマーを含む）、ポリエステル（例えば、ポリカーボネート、ポリエチレンテレフタレート、ポリエチレンナフトレート、ポリブチレンテレフタレート、ポリアリレート）、ポリエステルエーテルなどのポリエステルコポリマー、ポリエーテルエーテルケトン、ポリエーテルイミド（ポリエーテルイミド−シロキサンコポリマーなどのコポリマーを含む）、ポリエーテルケトンケトン、ポリエーテルケトン、ポリエーテルスルホン、ポリイミド（ポリイミド−シロキサンコポリマーなどのコポリマーを含む）、ポリ（Ｃ１−６アルキル）メタクリレート、ポリメタクリルアミド、ポリノルボルネン（ノルボルネニル基を含有するコポリマーを含む）、ポリオレフィン（例えば、ポリエチレン、ポリプロピレン、ポリテトラフルオロエチレン、及びそれらのコポリマー、例えば、エチレン−α−オレフィンコポリマー）、ポリオキサジアゾール、ポリオキシメチレン、ポリフタリド、ポリシラザン、ポリシロキサン、ポリスチレン（アクリロニトリル−ブタジエン−スチレン（ＡＢＳ）及びメチルメタクリレート−ブタジエン−スチレン（ＭＢＳ）などのコポリマーを含む）、ポリスルフィド、ポリスルホンアミド、ポリスルホネート、ポリスルホン、ポリチオエステル、ポリトリアジン、ポリ尿素、ポリウレタン、ポリビニルアルコール、ポリビニルエステル、ポリビニルエーテル、ハロゲン化ポリビニル、ポリビニルケトン、ポリビニルチオエーテル、ポリフッ化ビニリデンなど、又は前述の熱可塑性ポリマーのうちの少なくとも１つを含む組み合わせのうちの１つ以上が挙げられ得る。ポリアミドの実施形態としては、非限定的に、合成直鎖ポリアミド、例えば、ナイロン−６，６、ナイロン−６，９、ナイロン−６，１０、ナイロン−６，１２、ナイロン−１１、ナイロン−１２、及びナイロン−４，６、好ましくはナイロン６及びナイロン６，６、又は前述のものの少なくとも１つを含む組み合わせが挙げられる。使用できるポリウレタンとしては、上述されたものを含む脂肪族、脂環式、芳香族、及び多環式のポリウレタンが挙げられる。例えば、メチルアクリレート、エチルアクリレート、アクリルアミド、メタクリル酸、メチルメタクリレート、ｎ−ブチルアクリレート、及びエチルアクリレートなどのポリマーを含む、ポリ（Ｃ１−６アルキル）アクリレート及びポリ（Ｃ１−６アルキル）メタクリレートも有用である。実施形態において、ポリ���レフィンは、ポリエチレン、ポリプロピレン、ポリブチレン、ポリメチルペンテン（及びそのコポリマー）、ポリノルボルネン（及びそのコポリマー）、ポリ１−ブテン、ポリ（３−メチルブテン）、ポリ（４−メチルペンテン）、及びエチレンとプロピレン、１−ブテン、１−ヘキセン、１−オクテン、１−デセン、４−メチル−１−ペンテン、及び１−オクタデセンとのコポリマーのうちの１つ以上を含んでもよい。
【００４７】
特定の実施形態において、３Ｄ印刷可能材料（及び３Ｄ印刷された材料）は、ポリカーボネート（ＰＣ）、ポリエチレン（ＰＥ）、高密度ポリエチレン（ＨＤＰＥ）、ポリプロピレン（ＰＰ）、ポリオキシメチレン（ＰＯＭ）、ポリエチレンナフタレート（ＰＥＮ）、スチレン−アクリロニトリル樹脂（ＳＡＮ）、ポリスルホン（ＰＳＵ）、ポリフェニレンスルフィド（ＰＰＳ）、及び半結晶性ポリエチレンテレフタレート（ＰＥＴ）、アクリロニトリルブタジエンスチレン（ＡＢＳ）、ポリ（メチルメタクリレート）（ＰＭＭＡ）、ポリスチレン（ＰＳ）、スチレンアクリルコポリマー（ＳＭＭＡ）のうちの１つ以上を含む。
【００４８】
３Ｄ印刷可能材料という用語は、更に以下でも説明されるが、（熱可塑性材料及び添加剤の全体積に対して）最大約６０％、特に、最大約２０体積％などの、最大約３０体積％の体積百分率まで、オプションとして添加剤を含む、熱可塑性材料を特に指す。
【００４９】
それゆえ、実施形態では、印刷可能材料は、２つの相を含んでもよい。印刷可能材料は、印刷可能ポリマー材料、特に熱可塑性材料の相（以下もまた参照）を含んでもよく、当該相は特に、本質的に連続相である。熱可塑性材料ポリマーの、この連続相中には、酸化防止剤、熱安定剤、光安定剤、紫外線安定剤、紫外線吸収添加剤、近赤線光吸収添加剤、赤外線吸収添加剤、可塑剤、潤滑剤、離型剤、帯電防止剤、防曇剤、抗菌剤、着色剤、レーザマーキング添加剤、表面効果添加剤、放射線安定剤、難燃剤、防滴剤のうちの１つ以上などの、添加剤が存在してもよい。添加剤は、光学特性、機械的特性、電気特性、熱特性、及び機械的特性から選択される、有用な特性を有し得る（上記もまた参照）。
【００５０】
印刷可能材料は、実施形態では、微粒子状材料、すなわち、印刷可能ポリマー材料中に埋め込まれている粒子を含んでもよく、当該粒子は、実質的に不連続な相を形成する。全混合物中の粒子の数は、特に熱膨張係数を低減するための用途では、（（異方性伝導）粒子を含めた）印刷可能材料の総体積に対して、特に６０体積％以下である。光学効果及び表面関連効果に関しては、全混合物中の粒子の数は、（粒子を含めた）印刷可能材料の総体積に対して、最大１０体積％などの、２０体積％以下である。それゆえ、３Ｄ印刷可能材料とは特に、粒子などの他の材料が埋め込まれていてもよい、本質的に熱可塑性の材料の連続相を指す。同様に、３Ｄ印刷された材料とは特に、粒子などの他の材料が埋め込まれている、本質的に熱可塑性の材料の連続相を指す。粒子は、上記で定義されたような１種以上の添加剤を含んでもよい。それゆえ、実施形態では、３Ｄ印刷可能材料は、微粒子状添加剤を含んでもよい。
【００５１】
印刷可能材料は、受け物品上に印刷される。特に、受け物品は、構築プラットフォームとすることができ、又は、構築プラットフォームによって含まれることができる。受け物品もまた、３Ｄ印刷の間に加熱されてもよい。しかしながら、受け物品はまた、３Ｄ印刷の間に冷却されてもよい。
【００５２】
語句「受け物品上に印刷する」及び同様の語句は、とりわけ、受け物品上に直接印刷すること、又は、受け物品上のコーティング上に印刷すること、又は、受け物品上に先に印刷されている、３Ｄ印刷された材料上に印刷することを含む。用語「受け物品」とは、印刷プラットフォーム、プリントベッド、基材、支持体、ビルドプレート、又は構築プラットフォームなどを指す場合がある。用語「受け物品」の代わりに、用語「基材」もまた使用されてもよい。語句「受け物品上に印刷する」及び同様の語句は、とりわけ、印刷プラットフォーム、プリントベッド、支持体、ビルドプレート、又は構築プラットフォームなどの上の、あるいは、それらによって含まれている、別個の基材上に印刷することもまた含む。それゆえ、語句「基材上に印刷する」及び同様の語句は、とりわけ、基材上に直接印刷すること、又は、基材上のコーティング上に印刷すること、又は、基材上に先に印刷されている、３Ｄ印刷された材料上に印刷することを含む。以降では、基材という用語が更に使用され、当該用語は、印刷プラットフォーム、プリントベッド、基材、支持体、ビルドプレート、又は構築プラットフォームなど、あるいは、当該対象物の上の、又はそれらによって含まれている、別個の基材を指す場合がある。
【００５３】
印刷可能材料が一層ずつ堆積され、それにより、３Ｄ印刷された物品が（印刷段階の間に）生成される。３Ｄ印刷された物品は、（堆積されたフィラメントに由来する）特徴的なリブ状構造を示し得る。しかしながら、印刷段階の後に、仕上げ段階などの、更なる段階が実行されることもまた可能であってもよい。この段階は、印刷された物品を受け物品から取り出すこと、及び／又は、１つ以上の後処理動作を含んでもよい。１つ以上の後処理動作は、印刷された物品を受け物品から取り出す前に実行されてもよく、及び／又は、１つ以上の後処理動作は、印刷された物品を受け物品から取り出した後に実行されてもよい。後処理は、例えば、研磨、コーティング、機能構成要素の追加などのうちの、１つ以上を含んでもよい。後処理は、リブ状構造を平滑化することを含んでもよく、このことは、本質的に平滑な表面をもたらし得る。
【００５４】
更には、本発明は、本明細書で説明される方法を実行するために使用されることが可能な、ソフトウェア製品に関する。それゆえ、また更なる態様では、本発明はまた、熱溶解積層法３Ｄプリンタに機能的に結合されているコンピュータ、又は熱溶解積層法３Ｄプリンタによって含まれているコンピュータ上で動作すると、本明細書で説明されるような方法を実現することが可能な、コンピュータプログラム製品も提供する。
【００５５】
本明細書で説明される方法は、３Ｄ印刷された物品を提供する。それゆえ、本発明はまた、更なる態様では、本明細書で説明される方法で得ることが可能な、３Ｄ印刷された物品も提供する。更なる態様では、本明細書で説明される方法で得ることが可能な、３Ｄ印刷された物品が提供される。
【００５６】
３Ｄ印刷された物品は、上下に重ねられた複数の層、すなわち積み重ねられた層を含み得る。層の厚さ及び高さは、例えば、実施形態において、２００〜２５００μｍなど、１００〜３０００μｍの範囲から選択され得、高さは一般的に幅よりも小さい。例えば、高さと幅の比は、０．６以下など、０．８以下であってもよい。
【００５７】
同様に、これらの寸法は本質的に、水平に印刷された層に適用されてもよい。
【００５８】
なお、水平に印刷された層は、第１の層と実質的に同じ層幅を有する必要はなく、及び／又は、隣に構成された水平層が、同じ幅及び高さ、及び／又は同じ張出寸法を有する必要はないことに留意されたい。しかし、特定の実施形態において、これらは、水平に印刷された層のアレイを形成するそれらの層について本質的に同じであってもよい。
【００５９】
層は、コア−シェル層であってもよく、又は単一の材料からなってもよい。例えば、コア−シェル印刷プロセスが適用され、印刷プロセス中に、プロセスが、第１の材料を印刷すること（及び第２の材料を印刷しないこと）から、第２の材料を印刷すること（及び第１の材料を印刷しないこと）に変化したときに、層内に組成物の変更があってもよい。
【００６０】
３Ｄ印刷された物品の少なくとも一部が、コーティングを含んでもよい。
【００６１】
また更なる態様では、本発明は、３Ｄ印刷された材料を含む３Ｄ物品であって、３Ｄ印刷された材料の複数の層を含み、３Ｄ物品が、（ｉ）３Ｄ印刷された材料の第１の層であって、第１の層上部及び第１の層下部を有し、第１の層上部が、第１の層高さ（Ｈ１）によって第１の方向で第１の層下部から隔てられる、第１の層と、（ｉｉ）第１の層と隣で接触する３Ｄ印刷された材料の第２の層であって、第１の方向と実質的に垂直な第２の方向で第１の層の隣にあり、第２の層が、第２の層上部及び第２の層下部を有し、第２の層上部の少なくとも一部が、第１の層上部の少なくとも一部の上に延在し、一部と共形である、第２の層と、を含む少なくとも１組の隣り合う（２つ以上の）層を含む、３Ｄ物品を提供する。
【００６２】
そのような３Ｄ印刷された物品は、ある種の金属製ピーホイッスル形状を有する断面をそれぞれ有し、入口部が他方（第２の層）の隣の層の上にある、１つ以上の層を含んでもよい。それゆえ、そのような３Ｄ印刷された物品は、（本明細書では、第２の層のアレイとしても示され得る）複数の第２の層を含んでもよい。
【００６３】
上述されたように、側部の一部（定義のために、第１の側部が使用され得る）は、第１の層、すなわち、第１の層の第２の側部と物理的に接触する。第２の層の第１の側部の一部が第１の層上に張出を形成すると言ってもよい。このようにして、第２の層の側面の少なくとも一部が、第１の層の一部と接触し、一部と共形である。しかし、張出は、一般的に、第１の層上部及び第２の層上部に対して定義され、上述されたように、第２の層上部の少なくとも一部が、第１の層上部の少なくとも一部の上に延在し、一部と共形である。それゆえ、この第２の層上部は、第１の層上部と共に、付着、及び／又は共有結合、及び／又は化学結合などによる、第１の層と第２の層との間の接続をもたらす。このようにして、（第２の層のための）支持体を必要とせずに、水平に印刷することができる。
【００６４】
実施形態において、第１の層の第１の層高さ（Ｈ１）が、第１の層上部及び第１の層下部によって定義され得る。実施形態において、第２の層の第２の層高さ（Ｈ２）が、第２の層上部及び第２の層下部によって定義され得る。
【００６５】
３Ｄ印刷された物品に関連する、いくつかの特定の実施形態が、以下で本方法を論じる際に既に明らかにされている。以下では、３Ｄ印刷された物品に関連する、いくつかの特定の実施形態が、より詳細に論じられる。
【００６６】
第２の層は、特徴的な形状を有する場合があり、上部は、空中印刷段階中にノズルによって本質的に影響を受け得る。それゆえ、実施形態において、第２の層上部は第２の層上面を有し、第２の層下部は第２の層下面を有し、第２の層の長手方向軸線（Ａ）と垂直な横断面において、第２の層上面が平坦であり、第２の層下面が湾曲している。それゆえ、第２の層は、上部で本質的に平坦であってもよいが、下部で湾曲していてもよい。このことは、ある種の金属製ピーホイッスル形状も提供する。本明細書では、用語「平坦である」又は「湾曲している」はそれぞれ、本質的に平坦であること又は本質的に湾曲していることも指す場合がある。実施形態において、少なくとも第２の層下部（又は当該面）が、第２の層上部（又は当該面）よりも大きな曲率を有する。
【００６７】
上述されたように、３Ｄ印刷可能材料としての光透過性材料の使用は、例えば、照明用途に有用であり得るが、他の用途も考えられ得る。それゆえ、実施形態において、３Ｄ印刷された材料は、光透過性材料を含む。
【００６８】
また上述されたように、複数の第２の層が提供され得る。そのような実施形態において、３Ｄ物品は、（したがって）複数の第２の層を含んでもよく、隣の第２の層によって第２の層上部が部分的に覆われる各第２の層が、当該隣の第２の層に対する第１の層として構成される。
【００６９】
（本明細書で説明される方法で）得られる３Ｄ印刷された物品は、それ自体が機能的であってもよい。例えば、３Ｄ印刷された物品は、レンズ、コリメータ、反射器などであってもよい。そのようにして得られる３Ｄ物品は、（代替的に）、装飾目的又は芸術目的のために使用されてもよい。３Ｄ印刷された物品は、機能構成要素を含んでもよく、又は機能構成要素を備えてもよい。機能構成要素は、特に、光学構成要素、電気構成要素、及び磁気構成要素から成る群から選択されてもよい。用語「光学構成要素」は特に、レンズ、ミラー、光透過性要素、光学フィルタなどの光学機能を有する構成要素を指す。光学構成要素という用語は、光源（ＬＥＤなど）を指す場合もある。用語「電気構成要素」は、例えば、集積回路、ＰＣＢ、バッテリ、ドライバを指す場合があるが、また、光源（光源は、光学構成要素及び電気構成要素と見なされ得るため）などを指す場合もある。磁気構成要素という用語は、例えば、磁気コネクタ、コイルなどを指す場合がある。代替的に、又は追加的に、機能構成要素は、（例えば、電気構成要素を冷却又は加熱するように構成されている）熱構成要素を含んでもよい。それゆえ、機能構成要素は、熱を発生させるか、又は熱を除去するなどのように構成されてもよい。
【００７０】
上述されたように、３Ｄ印刷された物品は、異なる目的で使用されてもよい。とりわけ、３Ｄ印刷された物品は、照明に使用されてもよい。したがって、また更なる態様において、本発明はまた、本明細書に規定されるような３Ｄ物品を備える照明デバイスを提供する。特定の態様では、本発明は、（ａ）（可視）光源光を提供するように構成された光源と、（ｂ）本明細書で定義される３Ｄ物品であって、（ｉ）ハウジングの少なくとも一部、（ｉｉ）照明チャンバの壁の少なくとも一部、及び（ｉｉｉ）光学構成要素、支持体、電気絶縁性構成要素、導電性構成要素、断熱性構成要素、及び熱伝導性構成要素からなる群から選択され得る機能構成要素のうちの１つ以上として構成され得る、３Ｄ物品と、を備える照明システムを提供する。それゆえ、特定の実施形態において、３Ｄ物品は、（ｉ）照明デバイスハウジングの少なくとも一部、（ｉｉ）照明チャンバの壁の少なくとも一部、及び（ｉｉｉ）光学要素のうちの１つ以上として構成され得る。比較的滑らかな表面が設けられ得るので、３Ｄ印刷された物品は、ミラー又はレンズなどとして使用されてもよい。実施形態において、３Ｄ物品は、シェードとして構成されてもよい。デバイス又はシステムが、異なる機能を有する異なる複数の３Ｄ印刷された物品を備えてもよい。
【００７１】
３Ｄ印刷プロセスに戻ると、本明細書で説明される３Ｄ印刷された物品を提供するために、特定の３Ｄプリンタが使用されてもよい。したがって、また更なる態様において、本発明は、熱溶解積層法３Ｄプリンタであって、（ａ）プリンタノズルを含むプリンタヘッドと、（ｂ）３Ｄ印刷可能材料をプリンタヘッドに供給するように構成された３Ｄ印刷可能材料供給デバイスであって、熱溶解積層法３Ｄプリンタが、３Ｄ印刷可能材料を供給し、それにより、（基材上に）３Ｄ印刷された材料を含む３Ｄ物品を提供するように構成されている、３Ｄ印刷可能材料供給デバイスと、（ｃ）本明細書で定義される方法を制御モードで実行するように構成された制御システム（Ｃ）と、を備える熱溶解積層法３Ｄプリンタも提供する。
【００７２】
プリンタノズルは、単一の開口部を含み得る。他の実施形態において、プリンタノズルは、２つ（又はそれ以上）の開口部を有するコア−シェル型であってもよい。用語「プリンタヘッド」は、複数の（異なる）プリンタヘッドを指す場合もあり、それゆえ、用語「プリンタノズル」は、複数の（異なる）プリンタノズルを指す場合もある。
【００７３】
３Ｄ印刷可能材料供給デバイスは、３Ｄ印刷可能材料を含むフィラメントを、プリンタヘッドに供給してもよく、又は、３Ｄ印刷可能材料それ自体を供給して、プリンタヘッドが、３Ｄ印刷可能材料を含むフィラメントを作り出してもよい。それゆえ、実施形態において、本発明は、熱溶解積層法３Ｄプリンタであって、（ａ）プリンタノズルを含むプリンタヘッドと、（ｂ）３Ｄ印刷可能材料を含むフィラメントをプリンタヘッドに供給するように構成されたフィラメント供給デバイスであって、熱溶解積層法３Ｄプリンタが、３Ｄ印刷可能材料を基材に供給し、それにより、３Ｄ印刷された材料を含む３Ｄ物品を提供するように構成されている、フィラメント供給デバイスと、（ｃ）本明細書で定義される方法を制御モードで実行するように構成された制御システム（Ｃ）と、を備える熱溶解積層法３Ｄプリンタを提供する。
【００７４】
特に、３Ｄプリンタは、本明細書で説明されるような方法を制御モード（又は、「動作モード」）で実行するように構成されている、コントローラを備える（又は、コントローラに機能的に結合されている）。
【００７５】
システム、又は装置、又はデバイスは、或る「モード」又は「動作モード」又は「動作のモード」で、アクションを実行してもよい。同様に、方法において、アクション若しくは段階、又はステップが、或る「モード」又は「動作モード」又は「動作のモード」で実行されてもよい。用語「モード」はまた、「制御モード」として示されてもよい。このことは、システム、又は装置、又はデバイスがまた、別の制御モード、又は複数の他の制御モードを提供するように適合されてもよいことを排除するものではない。同様に、このことは、モードを実行する前に、及び／又はモードを実行した後に、１つ以上の他のモードが実行されてもよいことを排除し得ない。
【００７６】
しかしながら、実施形態では、少なくとも制御モードを提供するように適合されている、制御システムが利用可能であってもよい。他のモードが利用可能である場合には、そのようなモードの選択は、特に、ユーザインタフェースを介して実行されてもよいが、センサ信号又は（時間）スキームに応じてモードを実行することのような、他のオプションもまた可能であってもよい。動作モードはまた、実施形態では、単一の動作モード（すなわち、更なる同調性を有さない、「オン」）でのみ動作することが可能な、システム、又は装置、又はデバイスに言及する場合もある。
【００７７】
用語「熱溶解積層法（ＦＤＭ）３Ｄプリンタ」の代わりに、簡潔に、用語「３Ｄプリンタ」、「ＦＤＭプリンタ」、又は「プリンタ」が使用されてもよい。プリンタノズルはまた、「ノズル」として、又は場合により「押出機ノズル」として示されてもよい。
【図面の簡単な説明】
【００７８】
ここで、本発明の実施形態が、添付の概略図面を参照して例としてのみ説明され、図面中、対応する参照記号は、対応する部分を示す。
【図１ａ】３Ｄプリンタ、及び３Ｄ印刷された材料の実施形態の、いくつかの一般的な態様を概略的に示す。
【図１ｂ】３Ｄプリンタ、及び３Ｄ印刷された材料の実施形態の、いくつかの一般的な態様を概略的に示す。
【図１ｃ】３Ｄプリンタ、及び３Ｄ印刷された材料の実施形態の、いくつかの一般的な態様を概略的に示す。
【図２ａ】いくつかの態様を概略的に示す。
【図２ｂ】いくつかの態様を概略的に示す。
【図２ｃ】いくつかの態様を概略的に示す。
【図２ｄ】いくつかの態様を概略的に示す。
【図２ｅ】いくつかの態様を概略的に示す。
【図２ｆ】いくつかの態様を概略的に示す。
【図３ａ】いくつかの態様を概略的に示す。
【図３ｂ】いくつかの態様を概略的に示す。
【図３ｃ】いくつかの態様を概略的に示す。
【図３ｄ】いくつかの態様を概略的に示す。
【図３ｅ】いくつかの態様を概略的に示す。
【図３ｆ】いくつかの態様を概略的に示す。
【図３ｇ】いくつかの態様を概略的に示す。
【図３ｈ】いくつかの態様を概略的に示す。
【図３ｉ】いくつかの態様を概略的に示す。
【図３ｊ】いくつかの態様を概略的に示す。
【図４】本発明の態様を概略的に示す。
【００７９】
当該概略図面は、必ずしも正しい縮尺ではない。
【発明を実施するための形態】
【００８０】
図１ａは、３Ｄプリンタのいくつかの態様を概略的に示す。参照符号５００は、３Ｄプリンタを示す。参照符号５３０は、３Ｄ印刷、特にＦＤＭ３Ｄ印刷を行うように構成されている、機能ユニットを示し、この参照符号はまた、３Ｄ印刷段階ユニットを示してもよい。ここでは、ＦＤＭ３Ｄプリンタヘッドなどの、３Ｄ印刷される材料を供給するためのプリンタヘッドのみが、概略的に示されている。参照符号５０１は、プリンタヘッドを示す。本発明の３Ｄプリンタは、特に、複数のプリンタヘッドを含んでもよいが、他の実施形態もまた可能である。参照符号５０２は、プリンタノズルを示す。本発明の３Ｄプリンタは、特に、複数のプリンタノズルを含んでもよいが、他の実施形態もまた可能である。参照符号３２１は、印刷可能な（上述のものなどの）３Ｄ印刷可能材料のフィラメントを示す。明瞭性のために、３Ｄプリンタの全ての特徴部が示されているわけではなく、本発明に特に関連する特徴部（以下もまた更に参照されたい）のみが示されている。
【００８１】
３Ｄプリンタ５００は、実施形態では少なくとも一時的に冷却されてもよい受け物品５５０上に、複数のフィラメント３２１を層ごとに堆積させることによって、３Ｄ物品１を生成するように構成されており、各フィラメント３１０は、融点Ｔｍを有するような３Ｄ印刷可能材料２０１を含む。３Ｄ印刷可能材料２０１は、（印刷段階の間に）基材１５５０上に堆積されてもよい。
【００８２】
３Ｄプリンタ５００は、プリンタノズル５０２の上流でフィラメント材料を加熱するように構成されている。このことは、例えば、押出機能及び／又は加熱機能のうちの１つ以上を有するデバイスで行われてもよい。そのようなデバイスは、参照符号５７３で示されており、プリンタノズル５０２の上流に（すなわち、フィラメント材料がプリンタノズル５０２から出る前の時点に）配置されている。プリンタヘッド５０１は、（それゆえ）液化器又は加熱器を含み得る。参照符号２０１は、印刷可能材料を示す。堆積されると、この材料は、（３Ｄ）印刷された材料として示され、参照符号２０２で示されている。
【００８３】
参照符号５７２は、特に、フィラメント３２０として示されてもよいワイヤの形態の材料を有する、スプール又はローラを示す。３Ｄプリンタ５００は、この材料を、プリンタノズルの下流でフィラメント３２１に変換し、フィラメント３２１は、受け物品上で、又は既に堆積されている印刷された材料上で、層３２２となる。一般に、ノズルの下流のフィラメント３２１の直径は、プリンタヘッドの上流のフィラメント３２２の直径に対して低減されている。それゆえ、プリンタノズルは（また）、押出機ノズルとして示される場合がある。層３２２の脇に層３２２を、及び／又は、層３２２上に層３２２ｔを配置することで、３Ｄ物品１が形成されてもよい。参照符号５７５は、フィラメント供給デバイスを示し、当該デバイスは、この場合とりわけ、参照符号５７６で示される、スプール若しくはローラ及び駆動輪を含む。
【００８４】
参照符号Ａは、層の長手方向軸線を示す。
【００８５】
参照符号Ｃは、特に、受け物品５５０の温度を制御するように構成されている温度制御システムなどの、制御システムを概略的に示す。制御システムＣは、加熱器を含んでもよく、加熱器は、受け物品５５０を、少なくとも５０℃の温度まで加熱することが可能であるが、特に、少なくとも２００℃などの、最大約３５０℃の範囲まで加熱することが可能である。
【００８６】
代替的又は追加的に、実施形態では、受けプレートはまた、ｘ−ｙ平面（水平面）内で、１つ又は２つの方向に移動可能であってもよい。更には、代替的又は追加的に、実施形態では、受けプレートはまた、ｚ軸（垂直）を中心として回転可能であってもよい。それゆえ、制御システムは、受けプレートを、ｘ方向、ｙ方向、及びｚ方向のうちの１つ以上に移動させてもよい。
【００８７】
あるいは、プリンタは、印刷の間に回転することもまた可能な、ヘッドを有し得る。そのようなプリンタは、印刷される材料が印刷の間に回転し得ないという利点を有する。
【００８８】
層は、参照符号３２２で示されており、層高さＨ及び層幅Ｗを有する。
【００８９】
３Ｄ印刷可能材料は、必ずしもフィラメント３２０としてプリンタヘッドに供給されるものではない点に留意されたい。更には、フィラメント３２０はまた、３Ｄプリンタ５００内で、３Ｄ印刷可能材料片から製造されてもよい。
【００９０】
参照符号Ｄは、（３Ｄ印刷可能材料２０１が押し出される）ノズルの直径を示す。
【００９１】
図１ｂは、構築中の３Ｄ物品１の印刷を、より詳細に３Ｄで概略的に示す。この場合、この概略図面では、単一平面内のフィラメント３２１の端部は、相互接続されていないが、現実には、実施形態において、このことが当てはまる場合もある。
【００９２】
参照符号Ｈは、層の高さを示す。層は、参照符号２０３で示されている。ここでは、層は、本質的に円形の断面を有する。しかしながら、多くの場合、層は、扁平な楕円形チューブ又は扁平な楕円形ダクトに類似する（すなわち、幅よりも小さい高さを有するように圧縮された直径を有する、円形状のバーであり、（幅を画定する）側面が（依然として）丸みを帯びている）外形を有するように、平坦化されてもよい。
【００９３】
それゆえ、図１ａ、図１ｂは、（ａ）プリンタノズル５０２を含む第１のプリンタヘッド５０１と、（ｂ）３Ｄ印刷可能材料２０１を含むフィラメント３２１を、第１のプリンタヘッド５０１に供給するように構成されているフィラメント供給デバイス５７５と、オプションとして（ｃ）受け物品５５０とを備える、熱溶解積層法３Ｄプリンタ５００のいくつかの態様を概略的に示す。図１ａ、図１ｂでは、第１の印刷可能材料若しくは第２の印刷可能材料、又は第１の印刷された材料若しくは第２の印刷された材料は、全般的表示の、印刷可能材料２０１及び印刷された材料２０２で示されている。ノズル５０２の直接下流で、３Ｄ印刷可能材料を有するフィラメント３２１は、堆積されると、３Ｄ印刷された材料２０２を有する層３２２となる。図１ｂ中の参照符号Ａｎは、３Ｄ印刷された材料を基材（又は先に３Ｄ印刷された材料）上に供給するために３Ｄ印刷可能材料が押し出されるノズル領域を示す。
【００９４】
図１ｃは、層高さＨ及び層幅Ｗをそれぞれが有する、３Ｄ印刷された層３２２の積み重ね体を概略的に示す。実施形態では、２つ以上の層３２２に関して、層幅及び／又は層高さが異なっていてもよい点に留意されたい。図１ｃ中の参照符号２５２は、（図１ｃには概略的に示されている）３Ｄ物品の物品表面を示す。
【００９５】
図１ａ〜図１ｃを参照すると、堆積されている３Ｄ印刷可能材料のフィラメントは、高さＨ（及び、幅Ｗ）を有する層をもたらす。層３２２の後に層３２２を堆積させることで、３Ｄ物品１が生成される。
【００９６】
図２ａ及び図２ｂは、本発明のいくつかの態様を概略的により詳細に示す。ここで、まず、図２ａには、垂直に印刷された層のみを有する３Ｄ印刷された物品１の概略的な実施形態が概略的に示されており、図２ｂには、水平層を有する、ここでは、水平に印刷された概略的な３つの層３２２を有する、３Ｄ印刷された物品１の概略的な実施形態が示されている。
【００９７】
水平に印刷された層は、熱溶解積層法によって３Ｄ物品１を製造するための方法であって、３Ｄ印刷可能材料２０１を含む押出物３２１を層ごとに堆積させて、３Ｄ印刷された材料２０２を含む３Ｄ物品１を提供する３Ｄ印刷段階を含み、３Ｄ物品１が、３Ｄ印刷された材料２０２の複数の層３２２を含み、３Ｄ印刷段階が、３Ｄ印刷された材料２０２の第１の層１１００を提供することを含む垂直支持提供段階であって、第１の層１１００が、基材１５５０に対する第１の層上部高さＨ１１を有する第１の層上部１１１０と、基材１５５０に対する第１の層下部高さＨ１２を有する第１の層下部１１２０と、を有し、第１の層１１００が、第１の層上部高さＨ１１と第１の層下部高さＨ１２との間の差によって定義される第１の層高さＨ１を有し、第１の層下部高さＨ１２の値が、第１の層高さＨ１の値と少なくとも等しい、垂直支持提供段階と、３Ｄ印刷された材料２０２の第２の層１２００を、第１の層１１００と接触して支持体なしで堆積させることを含む空中印刷段階であって、第２の層１２００が、基材１５５０と実質的に平行な第２の方向で第１の層１１００の隣にあり、第２の層１２００が、第２の層上部１２１０を有し、第２の層上部１２１０の少なくとも一部が、第１の層上部１１００の少なくとも一部の上に延び、一部と合致する、空中印刷段階と、を含む方法の結果であり得る。張出部又は重複部は、Ｏ１で示されている（張出に関するもう少しの詳細については、例えば、図２ｅ、図２ｆ、図３ｃ、及び図３ｄを参照されたい）。
【００９８】
ここで、第１の層１１００は、基材の上に約４＊層高さＨ（本明細書では水平印刷プロセスを理解するために、第１の層高さＨ１として示されている）となる高さＨ１２を有する。ここで、本質的に全ての層が、本質的に同じ高さＨであるＨ１を有すると仮定される。
【００９９】
第１の層の幅Ｗは、参照符号Ｗ１で示されている。
【０１００】
３Ｄ印刷された層は、第２の層による張出の形成を可能にする湾曲したエッジを有することに留意されたい。とりわけ図２ａに示されるように、幅は特に、（層軸線と垂直な）最大幅を指す。したがって、幅Ｗ又はＷ１は、層の高さにわたって変化し得る。
【０１０１】
図２ｂは、３Ｄ印刷された材料２０２を含む３Ｄ物品１の実施形態であって、３Ｄ印刷された材料２０２の複数の層３２２を含み、３Ｄ物品１が、少なくとも１組の隣り合う層３２２を含む、３Ｄ物品１の実施形態も非常に概略的に示す。ここで、空中印刷段階を理解するために、参照符号１１００及び１２００で更に示される、１組の４つの隣り合う層３２２が存在する。
【０１０２】
隣り合う層は、３Ｄ印刷された材料２０２の第１の層１１００を含み、第１の層１１００は、第１の層上部１１１０及び第１の層下部１１２０を有し、第１の層上部１１１０は、第１の層高さＨ１によって第１の方向で第１の層下部１１２０から隔てられる。最も左側の（上部）層は、第１の層１００の実施形態であると少なくとも見なされる。隣り合う層の組は、第１の層１１００と接触する３Ｄ印刷された材料２０２の第２の層１２００も含み、第２の層１２００は、第１の方向と実質的に垂直な第２の方向で第１の層１１００の隣にあり、第２の層１２００は、第２の層上部１２１０及び第２の層下部１２２０を有し、第２の層上部１２１０の少なくとも一部が、第１の層上部１１００の少なくとも一部の上に延び、一部と合致する。
【０１０３】
第１の層と同様に、第２の層１２００は、異なる部分に概略的に区分され得る。第２の層は、基材に対する第２の層上部高さＨ２１を有する第２の層上部１２１０と、基材に対する第２の層下部高さＨ２２を有する第２の層下部１２２０とを有する。したがって、第２の層１２００の高さＨ２も、第２の層上部高さＨ２１と第２の層下部高さＨ２２との間の距離によって定義され得る。
【０１０４】
実際には、この概略的に示される実施形態において、隣り合う層の組は、複数の第２の層１２００を含み、隣の第２の層１２００によって第２の層上部１２１０が部分的に覆われる各第２の層１２００が、（また実際上）当該隣の第２の層１２００に対する第１の層１１００として構成される。
【０１０５】
図面に概略的に示されるように、第２の層上部１２１０は、第２の層上面１２１１を有し、第２の層下部１２２０は、第２の層下面１２２１を有する。
【０１０６】
図２ｂから導き出せるように、第１の層１１００は、層の積み重ね体の上部層であり得る。しかし、この概略図面からも明らかなように、第１の層１１００は、必ずしも層の積み重ね体の上部層でなく、基本的には、３Ｄ印刷層の積み重ね体の中間層であってもよい。
【０１０７】
図２ｃは、第１の層１１００が、第１の断面領域Ａ１を包囲する第１の包囲体１４１０として構成される、実施形態を非常に概略的に示し、左側の２つの図が、矩形の包囲体を示し、左側の２つの図が、円形の包囲体を示す。方法は、実施形態において、３Ｄ印刷された材料２０２の第２の層１２００を、第１の層１１００の隣に第１の層１１００と接触して堆積させて、第１の断面Ａ１よりも大きな（左下の図）又は小さな（右下の図）第２の断面領域Ａ２を有する第２の包囲体１４２０を提供することを含み得る。
【０１０８】
図２ｄは、ノズルが第１の層１１００の一部の上に概略的に描かれている実施形態を概略的に示す。ここで、プリンタノズル５０２はノズル領域Ａｎを有する。例として、ノズル５０２は楕円形を有する。空中印刷段階は、ノズル領域（Ａｎ）の１０〜５０％を第１の層の上に最大距離０．５＊Ｈ１で維持しながら、第２の層１２００を支持体なしで堆積させることを含む（この上面図には、高さが示されていない。これは、この高さが図面の平面と垂直であるためである。図３ｂを参照されたい）。参照符号Ａｏは、最大で０．５＊Ｈ１である、参照符号Ｈｎで示されるような高さにあるノズル領域の領域を示す。このことは、第１の層１１００の一部の上に第２の層１２００の一部の張出Ｏ１を形成することももたらし得る。
【０１０９】
あるいは、実施形態において、第１の層は第１の層幅Ｗ１を有し、プリンタノズルはノズル幅Ｄを有し、方法は、水平面における第１の層幅Ｗ１及びノズル幅Ｄの投影が、第１の層幅Ｗ１の１０〜５０％、特に１５〜３５％の範囲から選択される重複Ｏ１を有するように、プリンタノズルを第１の層の上に部分的に維持することを含む。
【０１１０】
図２ｅは、第２の層上部１２１０及び第２の層下部１２２０を有する第２の層を非常に概略的に示す。前者は面１２１１を有し、後者は面１２２１を有する。上部１２１０の最も高い部分が、参照符号１２１２で示され、下部の最も低い部分が、参照符号１２２１で示されている。高さは、参照符号Ｈ２で示されている。なお、ここで、下部１２２０の面１２２１は、本質的に平坦である。しかし、一般的に、これは、より湾曲していてもよい（図３ｃ〜図３ｄも参照されたい）。張出を形成する上部１２１０の一部は、参照符号Ｏ１で示され、理解のために斜線で示されている。しかし、この部分は本質的に、第２の層１２００の（外側層の）残りの部分と同じ材料となる。
【０１１１】
図２ｆは、複数の第２の層１２００を備え、隣の第２の層１２００によって第２の層上部１２１０が部分的に覆われる各第２の層１２００が、当該隣の第２の層１２００に対する第１の層１１００として構成される、実施形態を概略的に示す。
【０１１２】
上述されたように、第１の層は、第１の層上部１２１０及び第１の層下部１２２０を有する。したがって、層は、上部と下部に区分され得る。実施形態において、それらはそれぞれ、（断面図において）層のうちの５０％に関連してもよいが、他の比率も可能であり得る。
【０１１３】
別の細分化は、第１の側部１２３０と第２の側部１２４０であり得る。実施形態において、それらはそれぞれ、（断面図において）層のうちの５０％に関連してもよく、２つの斜線領域を有する第２の層１２００を右側から見た図２ｆを参照されたい。断面図は、層軸線と垂直な図を指し得る。実施形態において、それは、垂直区分面を有する２つの半体を指す場合がある。第１の側部１２３０は面１２３１を有し、第２の側部１２４０は面１２４１を有する。前者の少なくとも一部が、第１の層１１００（先に印刷された第２の層１２００であってもよい）と接触し、後者の一部が、（ここでは概略的に示されているような）後で印刷された隣の第２の層１２００と接触し得る。
【０１１４】
典型的には、一定の厚さ及び一定の幅を有する層が、４５°の最大角度に達するように上下に重ねて堆積され得る（図３ａを参照されたい）。この図は、一定の層厚さで５０％の最大重複領域を有するＦＤＭ印刷の典型的なオプションを示す。それゆえ、この図に示されるように、層３２２は長手方向軸線Ａを有し、長手方向軸線Ａのうちの２つ以上と平行な平面が、水平に対して０〜４５°の範囲から選択される最小角度θを有する。２つ以上の長手方向軸線Ａは、平面と一致する。複数の層はまた、湾曲した形状を提供してもよい。そのような実施形態において、複数の長手方向軸線Ａのうちの２つ以上と接する平面が、水平に対して０〜４５°の範囲から選択される最小角度θを有する。そのような平面はまた、２つ以上の長手方向軸線Ａと平行であってもよい。
【０１１５】
上述されたように、本明細書では、４５°未満の角度で物体を印刷するために、水平印刷と垂直印刷とを組み合わせることを含み得る新たな方法が提案される。このアプローチを用いることで、とりわけ、角度＜４５°の円錐を印刷することが可能となった。
【０１１６】
張出の水平印刷は、様々なやり方によって実現することができる。ポリマーの層を垂直方向に上下に重ねて固定することにより、物体、例えば、一定の高さまでの円筒を印刷することができる。続いて、ノズルは、ｘ−ｙ平面で移動して、最大で５０％の重複領域を有する層を堆積させるように設定される。このことは、ノズルが、前に印刷された層によって部分的に、最大で５０％にわたってブロックされ、当該隣に所定量の層を堆積させることを意味する。図３ｂは、そのような印刷物の断面の概略図面を示す。参照符号ＶＰは垂直印刷を示し、参照符号ＨＰは水平印刷を示す。
【０１１７】
特に、層は、付着によって互いに接続される。更に、前に印刷された層は、固化され得、新たな層が堆積され得るような強度を有する。しかし、当該温度（又は第２の層と接触することになる部分の温度）は、少なくともガラス転移温度にあり得る。第１の層１１００の冷却及び／又は加熱、ノズルの温度、材料のＴｇ、材料の速度及び流量は、構造体を実現するように制御され得る。
【０１１８】
図３ｃ及び図３ｄは、空中印刷段階を含む３Ｄ印刷された構造体の実施形態を示す。明らかに、構造体は、ノズルの重複があった上側で平坦化されている。重複領域に応じて、粗さ（連続する層間の段差）は調整することができる。図３ｄは、黒色及び白色のフィラメントを使用した、空中で水平に印刷された構造体の断面を示す。張出Ｏ１は、明確に視認され得る。第２の層１２００の長手方向軸線Ａと垂直な横断面において、第２の層の上面１２１１が平坦であり、第２の層の下面１２２１が湾曲していることも分かる。図３ｃ及び図３ｄは、空中で水平に印刷された２５％重複する構造体の断面の図を示し、図３ｃでは透明層のみを有し、図３ｄでは、交互する白色層と黒色層を有する。
【０１１９】
なお、この３Ｄ印刷プロセスにより、第２の層の高さＨ２は、同一であり得るが、（また第２の層として構成されない）第１の層１１００の高さよりも大きいか又は小さくてもよい。
【０１２０】
上の図３ｃは、張出構造体の断面の顕微鏡画像を示す。明らかに、上部は、下部よりもはるかに滑らかである。上部には、互いに１ｍｍ隔てられた小さな段差が見られる。下部は、半球体を示す。下部は、空中で印刷される点で、かなり正確に形成され、半球形状の間の距離も、１ｍｍの距離である。図３ｄは、白色層と黒色層との間の２５％の重複の場合の張出の形成を詳細に示す。２５％の小さなブロック部分により、前の層に対する粘着が生じるが、残りの部分は、ノズルがこの部分を平坦化するので、むしろ滑らかな上部を有する良好な小滴を形成する。
【０１２１】
図３ｃ及び図３ｄに示されるように、第２の層下部１２２０（又は当該面１２２１）は、第２の層上部１２１０（又は当該面１２１１）よりも大きな曲率を有し、後者は、本質的に平坦であり得る。
【０１２２】
構築プレートの表面に対して４５°未満の傾斜角度で物体を印刷するために、以下の例に示されるように水平印刷と垂直層とを組み合わせる必要がある。
【０１２３】
図３ｅ及び図３ｆは、水平印刷手法と垂直印刷手法とを組み合わせる可能なやり方の例を概略的に示す。
【０１２４】
これらの手法により、様々な印刷物が製造され得る。図３ｇ及び図３ｈには、円錐の断面が概略的に示されている。印刷が外側から内側である場合、円錐角は下方を向いていることが分かる。円錐角を上方に向けるために、印刷は、内側から始まり、外側に移動しなければならない。参照符号ＨＰは水平印刷（の結果）を示し、参照符号ＶＰは垂直印刷（の結果）を示す。
【０１２５】
全てが下を向くか又は全てが上を向く角度（θ）を形成するために、以下の図３ｉに使用されるものなどの、支援構造体を使用する必要がある。したがって、印刷は、外向きのロッド３ｉなどの支援構造体から、又は円筒の側面などから行われる。このようにして、支持構造体なしにθ＜４５°の角度で物体を作製することができる。
【０１２６】
光透過性材料を使用する場合、第２の層の形状は、それらが比較的反射性であるようなものとなる。それゆえ、水平印刷プロセスを使用して、反射性の３Ｄ印刷された物品（又は物品の部品）が作り出され得る。多層は、より高い反射率を有し得る。それゆえ、これらの手法を使用して、図３ｊに示されるように、強い隠蔽特性を有し、反射性であり得る多層を製造することができる。
【０１２７】
上述された手法を使用して、低角度の円錐を印刷するために、透明及び白色の反射性ポリマーを使用した。
【０１２８】
内側に光源を有する光透過性材料の３Ｄ印刷された円錐を作り出した。円錐が反射性の高い外観を有することを観察した。このことは、照明用途において所望（確信）され得る。
【０１２９】
前の層との良好な付着のために、ノズル開口部は、完全にブロックされるべきではなく、特に部分的にのみブロックされ、印刷された部分（張出）は、平坦なままであり、その結果、各層は、前の層に取り付けられたのと本質的に同じ高さに配置され得る。
【０１３０】
３Ｄ印刷された物品を、とりわけＰＥＴ及びＰＣから作製した。しかし、他の材料も好適であり得る。
【０１３１】
直径１．８ｍｍのノズルで物品を印刷した。層の高さを１．０ｍｍに選択した（しかし、０．１〜１．４ｍｍもオプションである）。ＰＥＴは７０℃のＴｇを有し、基材は８０℃の温度に保たれた。ノズル温度は２４０〜２６０℃の範囲内であり、５〜３０ｍｍ３／ｓの範囲内の流量を選択した。ＰＣは１４５℃のＴｇを有する。次いで、基材を１６０℃に保ち、ノズル温度を２７０〜３００℃の範囲内に保ち、５〜３０ｍｍ３／ｓの範囲内の流量を選択した。
【０１３２】
円錐状の物品及びディスク状の物品を、それぞれ両方の材料で作り出した。両方の物品について、張出は、本質的に平面内に留まる。それゆえ、最終製品は、とりわけ、中心に開口部を有するディスク（丸形、正方形、又は他の形態）であった。
【０１３３】
「実質的に成る」などの、本明細書の用語「実質的に（substantially）」は、当業者によって理解されるであろう。用語「実質的に」はまた、「全体的に（entirely）」、「完全に（completely）」、「全て（all）」などを伴う実施形態も含み得る。それゆえ、実施形態では、当該形容詞はまた、実質的に削除される場合もある。適用可能な場合、用語「実質的に」はまた、９５％以上、特に９９％以上、更に特に９９．５％以上などの、１００％を含めた９０％以上にも関連し得る。用語「備える（comprise）」は、用語「備える（comprises）」が「から成る（consists of）」を意味する実施形態もまた含む。用語「及び／又は」は、特に、その「及び／又は」の前後で言及された項目のうちの１つ以上に関連する。例えば、語句「項目１及び／又は項目２」、及び同様の語句は、項目１及び項目２のうちの１つ以上に関連し得る。用語「含む（comprising）」は、一実施形態では、「から成る（consisting of）」を指す場合もあるが、別の実施形態ではまた、「少なくとも定義されている種、及びオプションとして１つ以上の他の種を包含する」も指す場合がある。
【０１３４】
更には、明細書本文及び請求項での、第１、第２、第３などの用語は、類似の要素を区別するために使用されるものであり、必ずしも、連続的又は時系列的な順序を説明するために使用されるものではない。そのように使用される用語は、適切な状況下で交換可能であり、本明細書で説明される本発明の実施形態は、本明細書で説明又は図示されるもの以外の、他の順序での動作が可能である点を理解されたい。
【０１３５】
本明細書のデバイスは、とりわけ、動作中について説明されている。当業者には明らかとなるように、本発明は、動作の方法又は動作中のデバイスに限定されるものではない。
【０１３６】
上述の実施形態は、本発明を限定するものではなく、むしろ例示するものであり、当業者は、添付の請求項の範囲から逸脱することなく、多くの代替的実施形態を設計することが可能となる点に留意されたい。請求項では、括弧内のいかなる参照符号も、その請求項を限定するものとして解釈されるべきではない。動詞「備える、含む（to comprise）」及びその活用形の使用は、請求項に記述されたもの以外の要素又はステップが存在することを排除するものではない。要素に先行する冠詞「１つの（a）」又は「１つの（an）」は、複数のそのような要素が存在することを排除するものではない。本発明は、いくつかの個別要素を含むハードウェアによって、及び、好適にプログラムされたコンピュータによって実施されてもよい。いくつかの手段を列挙するデバイスの請求項では、これらの手段のうちのいくつかは、１つの同一のハードウェア物品によって具現化されてもよい。特定の手段が、互いに異なる従属請求項内に列挙されているという単なる事実は、これらの手段の組み合わせが、有利に使用され得ないことを示すものではない。
【０１３７】
本発明はまた、装置若しくはデバイス若しくはシステムを制御し得るか、又は本明細書で説明される方法若しくはプロセスを実行し得る、制御システムを提供する。また更には、本発明はまた、装置若しくはデバイス若しくはシステムに機能的に結合されているコンピュータ、又は装置若しくはデバイス若しくはシステムによって含まれているコンピュータ上で実行されると、そのような装置若しくはデバイス若しくはシステムの１つ以上の制御可能な要素を制御する、コンピュータプログラム製品も提供する。
【０１３８】
本発明は更に、明細書本文で説明される特徴及び／又は添付図面に示される特徴のうちの１つ以上を含む、デバイスに適用される。本発明は更に、明細書本文で説明される特徴及び／又は添付図面に示される特徴のうちの１つ以上を含む、方法又はプロセスに関する。
【０１３９】
本特許で論じられている様々な態様は、更なる利点をもたらすために組み合わされることも可能である。更には、当業者は、実施形態が組み合わされることが可能であり、また、３つ以上の実施形態が組み合わされることも可能である点を理解するであろう。更には、特徴のうちのいくつかは、１つ以上の分割出願のための基礎を形成し得るものである。
【０１４０】
第１の（印刷可能又は印刷された）材料及び第２の（印刷可能又は印刷された）材料のうちの１つ以上が、当該材料のＴｇ又はＴｍに影響を及ぼさない（及ぼす）ガラス及び繊維などの充填剤を含んでもよい点は言うまでもない。
【図１Ａ】
2022502285.tif 000003
【図１Ｂ】
2022502285.tif 000004
【図１Ｃ】
2022502285.tif 000005
【図２Ａ】
2022502285.tif 000006
【図２Ｂ】
2022502285.tif 000007
【図２Ｃ】
2022502285.tif 000008
【図２Ｄ】
2022502285.tif 000009
【図２Ｅ】
2022502285.tif 000010
【図２Ｆ】
2022502285.tif 000011
【図３Ａ】
2022502285.tif 000012
【図３Ｂ】
2022502285.tif 000013
【図３Ｃ】
2022502285.tif 000014
【図３Ｄ】
2022502285.tif 000015
【図３Ｅ】
2022502285.tif 000016
【図３Ｆ】
2022502285.tif 000017
【図３Ｇ】
2022502285.tif 000018
【図３Ｈ】
2022502285.tif 000019
【図３Ｉ】
2022502285.tif 000020
【図３Ｊ】
2022502285.tif 000021
【図４】
2022502285.tif 000022
【国際調査報告】
2022502285.tif 000023
2022502285.tif 000024